(57)【要約】【課題】防水性の低下を抑制することができるゴム栓固定構造を提供する。【解決手段】電線３の外周に密着して組付けられるゴム栓５と、電線３が挿通されゴム栓５の外周が内周に密着して組付けられる孔部７とを備えたゴム栓固定構造１において、ゴム栓５に、係合部９を設け、孔部７に、係合部９と係合しゴム栓５の孔部７に対する位置を保持する被係合部１１を設けた。【選択図】図４
2015207407.tif 000002
【特許請求の範囲】
【請求項１】
電線の外周に密着して組付けられるゴム栓と、前記電線が挿通され前記ゴム栓の外周が内周に密着して組付けられる孔部とを備えたゴム栓固定構造であって、
前記ゴム栓と前記孔部とのうち少なくともいずれか一方には、係合部が設けられ、前記ゴム栓と前記孔部とのうち他方には、前記係合部と係合し前記ゴム栓の前記孔部に対する位置を保持する被係合部が設けられていることを特徴とするゴム栓固定構造。
【請求項２】
請求項１記載のゴム栓固定構造であって、
前記係合部と前記被係合部とは、前記ゴム栓が前記孔部から抜け出す方向に係合される抜出防止部と、前記ゴム栓が前記孔部に対して回転する方向に係合される回転防止部とのうち少なくともいずれか一方を有することを特徴とするゴム栓固定構造。
【請求項３】
請求項２記載のゴム栓固定構造であって、
前記係合部と前記被係合部とは、前記抜出防止部と前記回転防止部とを有することを特徴とするゴム栓固定構造。
【発明の詳細な説明】
【技術分野】
【０００１】
本発明は、ゴム栓固定構造に関する。詳細には、孔部とこの孔部を挿通する電線との間に密着して配置されるゴム栓のゴム栓固定構造に関する。
【背景技術】
【０００２】
従来、ゴム栓固定構造としては、電線の外周に密着して組付けられるゴム栓と、電線が挿通されゴム栓の外周が内周に密着して組付けられる孔部としてのキャビティとを備えたものが知られている（例えば、特許文献１参照）。
【０００３】
このゴム栓固定構造では、ゴム栓が、キャビティの内部側に組付けられる前方シール部と、この前方シール部の後方に設けられキャビティの外部側に組付けられる後方シール部とを有しており、前方シール部では外周リップと内周リップとが同位置に設けられ、後方シール部では外周リップと内周リップとが前後方向にずれた位置に設けられている。
【０００４】
このように後方シール部で外周リップと内周リップとを前後方向にずれた位置に設けることにより、外周リップがキャビティの内周から受ける力を内周リップに伝えることがなく、内周リップが電線の外周から受ける力を外周リップにも伝えることがないので、ゴム栓のキャビティ内への挿入力の増大を抑制することができる。
【先行技術文献】
【特許文献】
【０００５】
【特許文献１】特開２０１３−１５２８０３号公報
【発明の概要】
【発明が解決しようとする課題】
【０００６】
しかしながら、上記特許文献１のようなゴム栓固定構造では、電線に屈曲などの外力が加わると、この外力によってゴム栓の孔部に対する位置がずれてしまい、防水性が低下してしまう恐れがあった。
【０００７】
そこで、この発明は、防水性の低下を抑制することができるゴム栓固定構造の提供を目的としている。
【課題を解決するための手段】
【０００８】
請求項１記載の発明は、電線の外周に密着して組付けられるゴム栓と、前記電線が挿通され前記ゴム栓の外周が内周に密着して組付けられる孔部とを備えたゴム栓固定構造であって、前記ゴム栓と前記孔部とのうち少なくともいずれか一方には、係合部が設けられ、前記ゴム栓と前記孔部とのうち他方には、前記係合部と係合し前記ゴム栓の前記孔部に対する位置を保持する被係合部が設けられていることを特徴とする。
【０００９】
このゴム栓固定構造では、ゴム栓と孔部とに設けられた係合部と被係合部とが係合しゴム栓の孔部に対する位置を保持するので、電線に加わる外力によってゴム栓が孔部に対して位置がずれることを防止することができる。
【００１０】
従って、このようなゴム栓固定構造では、係合部と被係合部との係合によりゴム栓を孔部に保持するので、ゴム栓の孔部に対する位置ずれを防止でき、防水性の低下を抑制することができる。
【００１１】
請求項２記載の発明は、請求項１記載のゴム栓固定構造であって、前記係合部と前記被係合部とは、前記ゴム栓が前記孔部から抜け出す方向に係合される抜出防止部と、前記ゴム栓が前記孔部に対して回転する方向に係合される回転防止部とのうち少なくともいずれか一方を有することを特徴とする。
【００１２】
このゴム栓固定構造では、係合部と被係合部とがゴム栓が孔部から抜け出す方向に係合される抜出防止部を有する場合、電線に引張り方向や屈曲方向に外力が加わったとしても、この外力によってゴム栓が孔部から抜け出すことを防止することができる。
【００１３】
一方、係合部と被係合部とがゴム栓が孔部に対して回転する方向に係合される回転防止部を有する場合には、電線に回転方向に外力が加わったとしても、この外力によってゴム栓が孔部内で回転することを防止することができる。
【００１４】
請求項３記載の発明は、請求項２記載のゴム栓固定構造であって、前記係合部と前記被係合部とは、前記抜出防止部と前記回転防止部とを有することを特徴とする。
【００１５】
このゴム栓固定構造では、係合部と被係合部とが、抜出防止部と回転防止部とを有するので、電線に引張り方向、屈曲方向、回転方向のいずれの方向に外力が加わったとしても、これらの外力によってゴム栓の孔部に対する配置位置がずれることがなく、防水性の低下を確実に抑制することができる。
【発明の効果】
【００１６】
本発明によれば、防水性の低下を抑制することができるゴム栓固定構造を提供することができるという効果を奏する。
【図面の簡単な説明】
【００１７】
【図１】本発明の第１実施形態に係るゴム栓固定構造の電線とゴム栓と端子とを組付けたときの斜視図である。
【図２】本発明の第１実施形態に係るゴム栓固定構造の孔部が設けられたハウジングの斜視図である。
【図３】本発明の第１実施形態に係るゴム栓固定構造のゴム栓の斜視図である。
【図４】本発明の第１実施形態に係るゴム栓固定構造の断面図である。
【図５】本発明の第２実施形態に係るゴム栓固定構造の電線とゴム栓と端子とを組付けたときの斜視図である。
【図６】本発明の第２実施形態に係るゴム栓固定構造の孔部が設けられたハウジングの斜視図である。
【図７】本発明の第２実施形態に係るゴム栓固定構造のゴム栓の斜視図である。
【図８】本発明の第２実施形態に係るゴム栓固定構造の断面図である。
【図９】本発明の第２実施形態に係るゴム栓固定構造の正面図である。
【図１０】本発明の第３実施形態に係るゴム栓固定構造の電線とゴム栓と端子とを組付けたときの斜視図である。
【図１１】本発明の第３実施形態に係るゴム栓固定構造の孔部が設けられたハウジングの斜視図である。
【図１２】本発明の第３実施形態に係るゴム栓固定構造の断面図である。
【発明を実施するための形態】
【００１８】
図１〜図１２を用いて本発明の実施の形態に係るゴム栓固定構造について説明する。
【００１９】
（第１実施形態）
図１〜図４を用いて第１実施形態について説明する。
【００２０】
本実施の形態に係るゴム栓固定構造１は、電線３の外周に密着して組付けられるゴム栓５と、電線３が挿通されゴム栓５の外周が内周に密着して組付けられる孔部７とを備えている。
【００２１】
そして、ゴム栓５には、係合部９が設けられ、孔部７には、係合部９と係合しゴム栓５の孔部７に対する位置を保持する被係合部１１が設けられている。
【００２２】
また、係合部９と被係合部１１とは、ゴム栓５が孔部７から抜け出す方向に係合される抜出防止部１３を有する。
【００２３】
図１〜図４に示すように、ゴム栓固定構造１は、電線３と、端子１５と、ハウジング１７と、孔部７を有する端子収容室１９と、ゴム栓５などを備えている。
【００２４】
電線３は、導電性材料からなる導体の外周を絶縁性材料からなる絶縁被覆で覆われた被覆電線からなり、電源や機器などに電気的に接続される。この電線３の端末部は、絶縁被覆が所定の長さ剥がされ、露出する導体に端子１５が電気的に接続される。
【００２５】
端子１５は、導電性材料からなり、一端側に電線３の導体を加締めて圧着される圧着部が設けられ、他端側に内部に接点部を有する箱状に形成された接続部が設けられた雌型端子となっている。この端子１５の圧着部には、ゴム栓５を加締めるための一対の加締片からなるゴム栓固定部２１が設けられている。
【００２６】
このような端子１５は、圧着部を電線３の端末部の導体に圧着した後、ハウジング１７の端子収容室１９内に挿入され、端子収容室１９内に撓み可能に設けられた係止ランス（不図示）が係合されることにより、ハウジング１７からの抜け止めがなされる。
【００２７】
ハウジング１７は、合成樹脂などの絶縁性材料からなり、筐体状に形成され、端子１５の接続部に接続されるタブ状の接続部を有する雄型端子からなる相手端子（不図示）を収容する相手ハウジング（不図示）と嵌合可能となっている。
【００２８】
このハウジング１７の内部には、複数の端子収容室１９が形成され、各端子収容室１９内に端子１５を収容した状態で、相手ハウジングと嵌合することにより、端子１５と相手端子とが電気的に接続される。
【００２９】
端子収容室１９は、ハウジング１７の幅方向に複数列配置されると共に、ハウジング１７の高さ方向に２段配置されている。この端子収容室１９には、電線３が外部に引き出される引出部としての孔部７側の開口から端子１５が挿入され、端子１５の接続部が孔部７の反対側に設けられた開口（不図示）と一致するように収容される。
【００３０】
このような端子１５を収容する端子収容室１９の孔部７の内周面には、電線３の外周面に密着して組付けられたゴム栓５の外周面が密着して配置され、ハウジング１７の内部が防水される。
【００３１】
ゴム栓５は、電線３の端末部に端子１５が接続される前の状態で、内周面が電線３の外周面に密着して組付けられ、外周に複数のリップ部２３と、係合部９とが設けられている。なお、複数のリップ部２３より端子１５側には、端子１５のゴム栓固定部２１に加締められて固定される固定部２５が設けられている。
【００３２】
複数のリップ部２３は、ゴム栓５の固定部２５と係合部９との間に電線３の長さ方向に所定の間隔をもって、ゴム栓５の周方向に連続する突条となるように電線３の長さ方向に複数列（ここでは２列）設けられている。
【００３３】
この複数のリップ部２３は、外径が端子収容室１９の孔部７の内径より僅かに大きく設定されており、端子１５を端子収容室１９に配置させる際に、孔部７に挿入され、端子１５を端子収容室１９に保持させると、外周面が孔部７の内周面に密着して配置される。
【００３４】
係合部９は、複数のリップ部２３より電線３側の外周面に設けられ、ゴム栓５の周方向に連続する突条となるように電線３の長さ方向に１列設けられた周リブ２７となっている。
【００３５】
この周リブ２７の外径は、複数のリップ部２３の外径より大きく設定されている、すなわち端子収容室１９の孔部７の内径より大きく設定されている。
【００３６】
このような周リブ２７は、端子１５を端子収容室１９に配置させる際に、孔部７内に縮径して挿入され、端子１５を端子収容室１９に保持させると、孔部７に設けられた被係合部１１の位置で復元されて被係合部１１に係合する。
【００３７】
被係合部１１は、端子１５を端子収容室１９に保持させた状態で係合部９と対応する孔部７の内周面に設けられ、孔部７の周方向に連続する溝部となるように電線３の長さ方向に１列設けられた周凹部２９となっている。
【００３８】
この周凹部２９の内径は、周リブ２７の外径より僅かに大きく設定されているが、周リブ２７の外径と密着するように同等、或いは僅かに小さく設定してもよい。
【００３９】
このような周凹部２９は、端子１５を端子収容室１９に保持させると、ゴム栓５の復元された周リブ２７が配置され、電線３の長さ方向に互いに対向する対向面が係合可能となり、ゴム栓５が孔部７内で電線３の長さ方向に移動することを規制し、ゴム栓５の孔部７に対する位置を保持する。
【００４０】
このように係合部９と被係合部１１とは、ゴム栓５が孔部７から抜け出す方向（図４における左右方向）に係合され、ゴム栓５の孔部７に対する電線３の長さ方向の配置位置を保持する抜出防止部１３となっている。
【００４１】
このように抜出防止部１３を設けることにより、電線３に引張り方向や屈曲方向に外力が加わったとしても、この外力によって孔部７に対するゴム栓５の配置位置がずれることがなく、防水性が低下することを抑制できる。
【００４２】
加えて、抜出防止部１３によってゴム栓５の孔部７に対する位置を保持することにより、電線３に加わった外力によってゴム栓５の固定部２５が端子１５のゴム栓固定部２１の加締め力に抗して外れることがなく、電線３とハウジング１７との間の防水性を保持することができる。
【００４３】
このようなゴム栓固定構造１では、ゴム栓５と孔部７とに設けられた係合部９と被係合部１１とが係合しゴム栓５の孔部７に対する位置を保持するので、電線３に加わる外力によってゴム栓５が孔部７に対して位置がずれることを防止することができる。
【００４４】
従って、このようなゴム栓固定構造１では、係合部９と被係合部１１との係合によりゴム栓５を孔部７に保持するので、ゴム栓５の孔部７に対する位置ずれを防止でき、防水性の低下を抑制することができる。
【００４５】
また、係合部９と被係合部１１とは、ゴム栓５が孔部７から抜け出す方向に係合される抜出防止部１３を有するので、電線３に引張り方向や屈曲方向に外力が加わったとしても、この外力によってゴム栓５が孔部７から抜け出すことを防止することができる。
【００４６】
（第２実施形態）
図６〜図９を用いて第２実施形態について説明する。
【００４７】
本実施の形態に係るゴム栓固定構造１０１の係合部１０３と被係合部１０５とは、ゴム栓５が孔部７に対して回転する方向に係合される回転防止部１０７を有する。
【００４８】
なお、第１実施形態と同一の構成には、同一の記号を記して構成及び機能説明は第１実施形態を参照するものとし省略するが、第１実施形態と同一の構成であるので、得られる効果は同一である。
【００４９】
図６〜図９に示すように、係合部１０３は、ゴム栓５の複数のリップ部２３より電線３側の外周面に設けられ、電線３の長さ方向に沿って連続する突条となるようにゴム栓５の周方向等間隔に複数列（ここでは４列）設けられた縦リブ１０９となっている。
【００５０】
この縦リブ１０９の外径は、複数のリップ部２３の外径より大きく設定されている、すなわち端子収容室１９の孔部７の内径より大きく設定されている。
【００５１】
このような縦リブ１０９は、端子１５を端子収容室１９に配置させる際に、孔部７に設けられた被係合部１０５に挿入され、端子１５を端子収容室１９に保持させると、被係合部１０５に係合可能に配置される。
【００５２】
被係合部１０５は、端子１５を端子収容室１９に保持させた状態で係合部１０３と対応する孔部７の内周面に設けられ、電線３の長さ方向に連続する溝部となるように孔部７の周方向等間隔に複数列（ここでは４列）設けられた縦凹部１１１となっている。
【００５３】
この縦凹部１１１の深さは、縦リブ１０９の高さより僅かに大きく設定されているが、内面が縦リブ１０９の外面と密着するように同等、或いは僅かに小さく設定してもよい。
【００５４】
このような縦凹部１１１は、端子１５を端子収容室１９に保持させると、ゴム栓５の縦リブ１０９がそれぞれ配置され、孔部７に対するゴム栓５の回転方向に互いに対向する対向面が係合可能となり、ゴム栓５が孔部７内で回転することを規制し、ゴム栓５の孔部７に対する位置を保持する。
【００５５】
このように係合部１０３と被係合部１０５とは、ゴム栓５が孔部７に対して回転する方向に係合され、ゴム栓５の孔部７に対する回転方向の配置位置を保持する回転防止部１０７となっている。
【００５６】
このように回転防止部１０７を設けることにより、電線３に回転方向に外力が加わったとしても、この外力によって孔部７に対するゴム栓５の配置位置がずれることがなく、防水性が低下することを抑制できる。
【００５７】
加えて、回転防止部１０７によってゴム栓５の孔部７に対する位置を保持することにより、電線３に加わった外力によってゴム栓５の固定部２５が端子１５のゴム栓固定部２１の加締め力に抗して回転してゴム栓固定部２１の加締め力が低下されることがなく、電線３とハウジング１７との間の防水性を保持することができる。
【００５８】
このようなゴム栓固定構造１０１では、係合部１０３と被係合部１０５とが、ゴム栓５が孔部７に対して回転する方向に係合される回転防止部１０７を有するので、電線３に回転方向に外力が加わったとしても、この外力によってゴム栓５が孔部７内で回転することを防止することができる。
【００５９】
（第３実施形態）
図１０〜図１２を用いて第３実施形態について説明する。
【００６０】
本実施の形態に係るゴム栓固定構造２０１の係合部２０３と被係合部２０５とは、抜出防止部１３と回転防止部１０７とを有する。
【００６１】
なお、他の実施形態と同一の構成には、同一の記号を記して構成及び機能説明は他の実施形態を参照するものとし省略するが、他の実施形態と同一の構成であるので、得られる効果は同一である。
【００６２】
図１０〜図１２に示すように、係合部２０３は、複数のリップ部２３より電線３側の外周面に設けられ、周リブ２７と複数の縦リブ１０９とを有し、周リブ２７と複数の縦リブ１０９とが連続して形成されている。
【００６３】
この係合部２０３は、端子１５を端子収容室１９に配置させる際に、周リブ２７を縮径して孔部７（縦凹部１１１）内に挿入され、端子１５を端子収容室１９に保持させると、周リブ２７が復元して孔部７に設けられた被係合部２０５に係合する。
【００６４】
被係合部２０５は、端子１５を端子収容室１９に保持させた状態で係合部２０３と対応する孔部７の内周面に設けられ、周凹部２９と複数の縦凹部１１１とを有し、周凹部２９と複数の縦凹部１１１とが連続して形成されている。
【００６５】
この被係合部２０５は、端子１５を端子収容室１９に保持させると、周凹部２９に復元されたゴム栓５の周リブ２７が配置されると共に、複数の縦凹部１１１にそれぞれゴム栓５の複数の縦リブ１０９が配置される。
【００６６】
このような係合部２０３と被係合部２０５とにおける周リブ２７と周凹部２９とは、ゴム栓５が孔部７から抜け出す方向（図１２における左右方向）に係合される抜出防止部１３となっており、縦リブ１０９と縦凹部１１１とは、ゴム栓５が孔部７に対して回転する方向に係合される回転防止部１０７となっている。
【００６７】
なお、周リブ２７と周凹部２９とのゴム栓５が孔部７から抜け出す方向の対向面同士の係合とは、図９に示す孔部７において周方向に隣り合う縦凹部１１１，１１１間を連結する連結部の底部側（周凹部２９側）の端面と、これに対向する周リブ２７の端面との係合となっている。
【００６８】
このように係合部２０３と被係合部２０５とが抜出防止部１３と回転防止部１０７とを有することにより、電線３に引張り方向、屈曲方向、回転方向のいずれの方向に外力が加わったとしても、これらの外力によって孔部７に対するゴム栓５の配置位置がずれることがなく、防水性が低下することを抑制できる。
【００６９】
加えて、抜出防止部１３と回転防止部１０７とによってゴム栓５の孔部７に対する位置を保持することにより、様々な方向から電線３に加わった外力によってゴム栓５の固定部２５が端子１５のゴム栓固定部２１の加締め力に抗して外れることがなく、電線３とハウジング１７との間の防水性を確実に保持することができる。
【００７０】
このようなゴム栓固定構造２０１では、係合部２０３と被係合部２０５とが、抜出防止部１３と回転防止部１０７とを有するので、電線３に引張り方向、屈曲方向、回転方向のいずれの方向に外力が加わったとしても、これらの外力によってゴム栓５の孔部７に対する配置位置がずれることがなく、防水性の低下を確実に抑制することができる。
【００７１】
なお、本発明の実施の形態に係るゴム栓固定構造では、孔部がハウジングの端子収容室を構成する電線の引出部となっているが、これに限らず、例えば、孔部が筐体部材の壁部に設けられている場合など、孔部とこの孔部を挿通する電線との間にゴム栓が密着して配置される構成であれば、本発明の構成を適用することができる。
【００７２】
また、周リブや縦リブからなる係合部がゴム栓に設けられ、周凹部や縦凹部からなる被係合部が孔部に設けられているが、これに限らず、係合部を孔部に設け、被係合部をゴム栓に設けてもよい。
【００７３】
加えて、ゴム栓の外周面及び孔部の内周面に設けられた複数の凸部とこの複数の凸部の谷部である複数の凹部とからなる係合部と被係合部との係合のように、ゴム栓と孔部とにそれぞれ係合可能な係合部と被係合部とを混在させて設けてもよい。
【符号の説明】
【００７４】
１，１０１，２０１…ゴム栓固定構造
３…電線
５…ゴム栓
７…孔部
９，１０３，２０３…係合部
１１，１０５，２０５…被係合部
１３…抜出防止部
１０７…回転防止部
【図１】
2015207407.tif 000003
【図２】
2015207407.tif 000004
【図３】
2015207407.tif 000005
【図４】
2015207407.tif 000006
【図５】
2015207407.tif 000007
【図６】
2015207407.tif 000008
【図７】
2015207407.tif 000009
【図８】
2015207407.tif 000010
【図９】
2015207407.tif 000011
【図１０】
2015207407.tif 000012
【図１１】
2015207407.tif 000013
【図１２】
2015207407.tif 000014